(57)【要約】【課題】遮音性能がよく、結露を防止できる戸建用に適した安価で耐久性のよい合成樹脂製の遮音排水管と遮音管継手を提供する。【解決手段】合成樹脂製排水管１の周面に、内層が発泡ウレタンチップから成る吸音材３で形成され、中間層がポリ塩化ビニールシートから成る遮音材４で形成され、外層が不織布シート５で形成された三層構成の遮音シート材２であって、遮音材の内面片側に両面接着テープ６を貼着した構成の遮音シート材を巻き付けて両面接着テープにより止め付け、その止め付け部分を覆って不織布テープ７を貼着した。合成樹脂製管継手の周面を前記遮音シート材から打ち抜いた該管継手の表面展開形状に近似した形状の被覆材９で覆い、被覆材の接合部に沿って接着テープ１１を捲回貼着することにより固定した。【選択図】図３
2010101481.tif 000002
【特許請求の範囲】
【請求項１】
硬質ポリ塩化ビニール等の合成樹脂製排水管の周面に、内層が発泡ウレタンチップから成る吸音材で形成され、中間層がポリ塩化ビニールシートから成る遮音材で形成され、外層が不織布シートで形成された三層構成の遮音シート材であって、該遮音材の内面片側に両面接着テープを貼着した構成の遮音シート材を巻き付けると共に該両面接着テープにより止め付け、その止め付け部分を覆って不織布テープを貼着したことを特徴とする合成樹脂製遮音排水管。
【請求項２】
一枚構成の上記遮音シート材を、吸音材の側面同士が突き合わせ状態になるように上記合成樹脂製排水管の周面に巻き付けたことを特徴とする請求項１に記載の合成樹脂製遮音排水管。
【請求項３】
硬質ポリ塩化ビニール等の合成樹脂製管継手の周面を、内層が発泡ウレタンチップから成る吸音材で形成され、中間層がポリ塩化ビニールシートから成る遮音材で形成され、外層が不織布シートで形成された三層構成の遮音シート材から打ち抜いた該管継手の表面展開形状に近似した形状の被覆材で覆い、該被覆材をその接合部に沿って独立発泡材からなり伸縮性のよい接着テープを捲回貼着することにより固定したことを特徴とする合成樹脂製遮音排水管継手。
【発明の詳細な説明】
【技術分野】
【０００１】  本発明は、主として戸建住宅用の排水管の配管に使用される合成樹脂製遮音排水管並びに合成樹脂製遮音排水管継手に関する。
【背景技術】
【０００２】  従来、硬質ポリ塩化ビニール管などの合成樹脂製排水管や管継手は、そのままでは火災の熱で溶損して火災の被害が拡大することがあるので、これを高層住宅において使用するときは、繊維混入モルタルなどの耐火材を被覆したものが使用されている。こうした耐火材が被覆されているために排水騒音が多少とも減衰するが、近時はより一層の静粛性が求められることもあり、更に遮音材を追加してこの求めに応じたものも供給されている。【０００３】  一方、戸建住宅には合成樹脂製排水管等は使用されているものの、火災に対しては特別な対策が要求されていないため耐火材が被覆されておらず、そのため比較的排水騒音が大きいという不都合があった。また、排水管はその周面に結露を生じることがあり、これは戸建住宅の場合、カビ発生や木材の腐蝕の原因となって好ましくない。【０００４】  排水管や管継手の排水騒音を減少させる手段として、排水管等を発泡樹脂に合成樹脂シートを重層した遮音材を使用することが提案されている（特開平１０−４７５８３号公報）。
【特許文献１】特開平１０−４７５８３号公報
【発明の開示】
【発明が解決しようとする課題】
【０００５】  戸建住宅用の排水管や管継手にも遮音材を被せれば遮音効果が得られることは従来技術から予測できるところであるが、遮音性能がよく結露が防止された遮音材を合成樹脂製排水管に能率よく取付けることや湾曲した合成樹脂製の管継手に対して能率よく遮音用のシート材を取付け、安価に提供することについては十分な解決が得られていない。また、排水管は各種設置寸法に応じて切断する必要があるので、遮音用シート材も管に対して容易にスライドでき且つ切断も簡単に行え、耐久性も良好なものが望ましい。【０００６】  本発明は、こうした要望を満足し、遮音性能がよく、結露を防止できる戸建用に適した安価で耐久性のよい合成樹脂製の遮音排水管と遮音管継手を提供することを課題とするものである。
【課題を解決するための手段】
【０００７】  本発明では、上記課題を解決すべく、硬質ポリ塩化ビニール等の合成樹脂製排水管の周面に、内層が発泡ウレタンチップから成る吸音材で形成され、中間層がポリ塩化ビニールシートから成る遮音材で形成され、外層が不織布シートで形成された三層構成の遮音シート材であって、該遮音材の内面片側に両面接着テープを貼着した構成の遮音シート材を巻き付けると共に該両面接着テープにより止め付け、その止め付け部分を覆って不織布テープを貼着した。該遮音シート材を一枚構成とし、吸音材の側面同士が突き合わせ状態になるように合成樹脂製排水管の周面に巻き付けることが好ましい。【０００８】  また、硬質ポリ塩化ビニール等の合成樹脂製管継手の周面を、内層が発泡ウレタンチップから成る吸音材で形成され、中間層がポリ塩化ビニールシートから成る遮音材で形成され、外層が不織布シートで形成された三層構成の遮音シート材から打ち抜いた該管継手の表面展開形状に近似した形状の被覆材で覆い、該被覆材をその接合部に沿って独立発泡材からなり伸縮性のよい接着テープを捲回貼着することにより固定した。
【発明の効果】
【０００９】  本発明において使用される遮音シート材は、内層が発泡ウレタンを粉砕してシート状に成形することにより幅広い音域で吸音効果が得られる発泡ウレタンチップの吸音材で構成され、中間層が密度が高く遮音効果のあるポリ塩化ビニールシートで構成され、外層に表面が粗面になった不織布シートを使用したので、合成樹脂製の排水管や管継手で発生する騒音の漏れを防ぐことができると共に不織布が外部衝撃などで遮音シート材が破損したりポリ塩化ビニールシートが劣化したり、表面に結露することを防止でき、騒音の低減と同時に耐久性と結露に伴うカビや腐食を防ぐことができる。【００１０】  また、該遮音材の内面片側には両面接着テープを貼着したので、これを排水管に巻き付けたのち該両面接着テープにより止め付けることができ、その止め付け部分を覆って不織布テープを貼着するので、巻き終わりの端部が抑え込まれ遮音シート材が剥がれ難くなる。【００１１】  更に、該遮音シート材を合成樹脂製の管継手の表面展開形状に近似した形状に打ち抜いて被覆材を得、これで管継手の表面全体を覆い、この被覆材が突き合された接合部に沿って独立発泡材からなる伸縮性のよい接着テープを巻きつけて固定することにより、きれいに被覆されしかも剥がれ難く被覆材を固定できる。これらの材料は比較的安価に入手できるので、遮音排水管や管継手を安価に製作でき、遮音シート材２は排水管１に対して接着しておらず簡単にスライドできるので、配管長さに応じて切断する作業が容易に行える。
【発明を実施するための最良の形態】
【００１２】    本発明の実施の形態を別紙図面に基づき説明すると、図１乃至図５は合成樹脂製の排水管に適用した実施例であり、図６乃至図９は合成樹脂製の管継手に適用した実施例である。図１及び図２において、符号１は硬質ポリ塩化ビニール等の合成樹脂製排水管、符号２は合成樹脂製排水管の周面に巻き付けて覆った遮音シート材を示す。該遮音シート材２は、図３又は図５に明示したように、３層の構成を有するもので、その内層は発泡ウレタンチップからなる吸音材３、中間層はポリ塩化ビニールシートからなる遮音材４、外層は化学繊維からなる不織布シート５で、これらを貼り合わせて構成した。【００１３】  この遮音シート材２は、図４に示したように長方形に形成され、その長さは排水管１の長さよりも多少短く、吸音材３の幅を遮音材４の幅よりも狭く形成し、遮音材４の内面片側に両面接着テープ６を貼着した。排水管１の周面に該遮音シート材２を巻き付け、吸音材３の側面同士を突き合わせ、この状態で両面接着テープ６を止め付け、更にこの止め付け部分を覆って図３のように不織布テープ７を貼着した。【００１４】  この実施例では、該吸音材３として発泡ウレタンを微粉砕して厚さ約５ｍｍのシート状に形成した発泡ポリウレタンシート（アキレス社  商品名マーブルフォーム）、遮音材４として厚さ１ｍｍのポリ塩化ビニールシート、不織布シート５として３０ｇ／ｍ２のポリプロピレン製のものを使用した。【００１５】  前記材料からなる一枚構成の遮音シート材２を内径１０７ｍｍ、外径１１４ｍｍ、長さ２ｍの硬質ポリ塩化ビニール製の排水管１に巻き付け固定し、排水を１リットル／秒流して騒音測定したところ、図１０に示すように防音処理のないものに較べ１０ｄｂ以上低下し、可聴域では１６ｄｂも低下した。排水管１に巻かれた遮音シート材２の表面は不織布で覆われているので、結露しにくく、固形物が衝突しても破れにくく、中間層のポリ塩化ビニールシートを保護してその劣化を防止でき、一枚構成で継ぎ目もないので遮音効果も良好であった。【００１６】  図６に示した硬質ポリ塩化ビニール製の管継手８の周面を該遮音シート材２で覆う場合遮音シート材２を該管継手８の表面の展開形状に近似した形状の被覆材９を打ち抜き（図９）、管継手８の周面に接着剤あるいは両面接着テープにより貼り付けする（図７）。該被覆材９を構成する帯部９ａは管継手の接続口周縁８ａに巻き付けられ、羽根部９ｂは管継手８の周面８ｂに貼り付けられて全体が遮音シート材２で覆われる。そして、被覆材９の接合部１０を順次に覆うように１本の接着テープ１１を３周捲回貼着して固定する。これにより被覆材９は管継手８の表面全体を覆った状態で固定され、管継手８に発生する騒音が漏れにくくなる。該接着テープ１１は、ポリエチレンに独立気泡を形成した軽量で伸縮性、耐熱性のよいテープ材（積水化学  商品名ボラーラ）にアクリル系接着剤を塗布したものを使用し、皺の無い貼着を行えるようにした。なお、被覆材９の形状は、管継手の形状によって変更され、必要な場合は２組の構成とすることもできる。
【図面の簡単な説明】
【００１７】
【図１】本発明の遮音排水管の正面図
【図２】図１の２−２線部分の断面図
【図３】図２の要部の拡大図
【図４】遮音シート材の平面図
【図５】図４の５−５線部分の拡大断面図
【図６】合成樹脂製管継手の正面図
【図７】合成樹脂製管継手に被覆材を覆った状態の正面図
【図８】被覆材の接合部に接着テープを貼着した状態の正面図
【図９】被覆材の平面図
【図１０】音圧レベルの特性図
【符号の説明】
【００１８】  １  合成樹脂製排水管、２  遮音シート材、３  吸音材、４  遮音材、５  不織布シート、６  両面接着テープ、７  不織布テープ、８  合成樹脂製管継手、９  被覆材、１０  接合部、１１  接着テープ、
【図１】
2010101481.tif 000003
【図２】
2010101481.tif 000004
【図３】
2010101481.tif 000005
【図４】
2010101481.tif 000006
【図５】
2010101481.tif 000007
【図６】
2010101481.tif 000008
【図７】
2010101481.tif 000009
【図８】
2010101481.tif 000010
【図９】
2010101481.tif 000011
【図１０】
2010101481.tif 000012